(57)【要約】本発明のビデ美容機器は、洗浄水を導入する導入ホースと、前記導入ホースに連結され、導入された洗浄水を浄化する浄水器と、前記浄水器と連通される開放された先端部を有するヘッドと、前記ヘッドの開放された先端部に供給される洗浄水を遮断したり、洗浄水の水圧を調節するコントロールバルブと、前記ヘッドの開放された先端部に着脱可能に結合される先端作動ユニットと、前記先端作動ユニットと作動的に連結されるように、前記ヘッドに設置される振動装置を有する。先端作動ユニットは、使用者の腸内または膣内部に挿入することができるビデ挿入装置である。【選択図】図１
2009521979.tif 000002
【特許請求の範囲】
【請求項１】
洗浄水を導入する導入ホースと、
前記導入ホースに連結され、導入された洗浄水を浄化する浄水器と、
前記浄水器に分離可能に結合されており、前記浄水器と連通される開放された先端部を有するヘッドと、
前記ヘッドの開放された先端部に供給される洗浄水を遮断したり、洗浄水の水圧を調節するコントロールバルブと、
前記ヘッドの開放された先端部に着脱可能に結合される先端作動ユニットと、
前記先端作動ユニットと作動的に連結されるように、前記ヘッドに設置される振動装置を有することを特徴とするビデ美容機器。
【請求項２】
前記先端作動ユニットはビデ挿入装置であり、このビデ挿入装置は、
前記ヘッドの開放された先端部に着脱可能に結合される本体と、
使用者の腸内または膣内部に挿入できるように前記本体の前方に長く伸びており、前記ヘッドの開放された先端部と連通される流路と、前記流路に導入された洗浄水を噴射するノズルヘッドを有する抗菌シリコンホースと、
前記抗菌シリコンホースの流路に挿入され、前記振動装置の振動を前記抗菌シリコンホースに伝達する振動バーを有することを特徴とする請求項１に記載の振動装置を具備したビデ美容機器。
【請求項３】
前記振動バーは、前記抗菌シリコンホースのノズルヘッドを振動させることができる先端部の振動板をさらに有しており、前記振動板には、前記流路の洗浄水が前記ノズルヘッドに円滑に流れるように通孔が形成されていることを特徴とする請求項２に記載の振動装置を具備したビデ美容機器。
【請求項４】
前記抗菌シリコンホースのノズルヘッドの前部には開放された貫通穴が形成されており、
前記振動バーは、前記抗菌シリコンホースの貫通穴に配置される振動板を有するが、前記振動板の外側面が前記ノズルヘッドの外面曲率につながるように円弧面で構成されることを特徴とする請求項２に記載の振動装置を具備したビデ美容機器。
【請求項５】
前記先端作動ユニットはマッサージ装置であり、このマッサージ装置は、
前記ヘッドの開放された先端部に着脱可能に結合される本体と、
前記本体の前部に遊動可能に設置される振動ヘッドと、
前記振動装置の振動を前記振動ヘッドに伝達する振動バーを有することを特徴とする請求項１に記載の振動装置を具備したビデ美容機器。
【請求項６】
前記振動ヘッドの外面を覆うカバーをさらに有し、
前記カバーは、不織布及び抗菌シリコン材質のうちいずれか一つで構成されることを特徴とする請求項５に記載の振動装置を具備したビデ美容機器。
【請求項７】
先端作動ユニットがヘッドの開放された先端部に着脱可能に取り付けられ、前記開放された先端部に連通される流路を有する本体と、振動機の振動を流路の洗浄水に伝達する振動伝達部材と、流路に流れる洗浄水を噴射するスプレーヘッドが本体に具備されていることを特徴とする請求項１に記載のビデ美容機器。
【請求項８】
前記ヘッドに前記浄水器の洗浄水が通過することができる殺菌室と、前記洗浄水を殺菌する殺菌機が具備されていることを特徴とする請求項１〜請求項７のいずれか一項に記載のビデ美容機器。
【請求項９】
身体の皮膚に低出力のレーザーを照射する皮膚再生レーザー装置をさらに有することを特徴とする請求項１〜請求項７のいずれか一項に記載のビデ美容機器。
【発明の詳細な説明】
【技術分野】
【０００１】
本発明は、振動装置を具備したビデ美容機器に関するものであって、より詳細には、腸または膣内部に挿入して内部を洗浄すると同時に、美容機器としても使用することができる振動装置を具備したビデ美容機器に関する。
【背景技術】
【０００２】
近年、身体の洗浄及び美容のための種々の機器が開発されてきている。その例として、ビデと振動マッサージ美容機器が開発されている。ビデは座便器の後方に設置され、使用者の排便部位、すなわち、肛門を洗浄する装置である。振動マッサージ美容機器は、内部に振動器を具備したものであって、皮膚及び身体の特定部位に振動を加えて皮膚を刺激してマッサージしたり、あるいは、皮膚の角質を除去する。
【０００３】
しかし、既存のビデは、座便器に設置されていて使用者の肛門しか洗浄できないという短所があった。特に、肛門の下部から水（以下、「洗浄水」という）を噴射する構造になっており、表に露出した部分だけ洗浄でき、実質的に清潔が要求される腸内部及び女性の膣内部には洗浄水が供給されず、これらの部位の内部洗浄ができないという問題点がある。
【０００４】
また、既存のビデは、水道管から移送される洗浄水をそのまま使用するので、清浄度が相対的に低く、このため、洗浄部位に対する洗浄効果が低下するという問題点がある。
【０００５】
さらに、振動マッサージ美容機器は、美容機器専用に使用できるものであって、使用範囲が限定されているという短所がある。使用範囲が限定されているため、使用者の購買力が減退するという欠点がある。
【発明の開示】
【発明が解決しようとする課題】
【０００６】
そこで、本発明は上記従来の問題点に鑑みてなされたものであって、本発明の目的は、使用者が手で持って洗浄が必要な部分に直接近づけて洗浄することができるように構成することにより、身体のどの部位にも届いて洗浄できるようにした振動装置を具備したビデ美容機器を提供することである。
【０００７】
本発明の他の目的は、腸または膣内部に挿入して内部洗浄を行うと同時に、洗浄水を振動させる構造を有することで、洗浄効果を向上させることができる振動装置を具備したビデ美容機器を提供することである。
【０００８】
本発明のまた他の目的は、身体の皮膚をマッサージしたり、洗浄する機能を兼備することで、身体のどの部位も広い範囲で洗浄し、マッサージすることが可能である。その結果、使用者の購買力を高められる振動装置を具備したビデ美容機器を提供することである。
【課題を解決するための手段】
【０００９】
上記目的を達成するためになされた本発明は、洗浄水を導入する導入ホースと、前記導入ホースに連結され、導入された洗浄水を浄化する浄水器と、前記浄水器に分離可能に結合されており、前記浄水器と連通される開放された先端部を有するヘッドと、前記ヘッドの開放された先端部に供給される洗浄水を遮断したり、洗浄水の水圧を調節するコントロールバルブと、前記ヘッドの開放された先端部に着脱可能に結合される先端作動ユニットと、前記先端作動ユニットと作動的に連結されるように、前記ヘッドに設置される振動装置を有することを特徴とする。
【００１０】
好ましくは、前記先端作動ユニットは、ビデ挿入装置であって、前記ビデ挿入装置は、前記ヘッドの開放された先端部に着脱可能に結合される本体と、使用者の腸内または膣内部に挿入できるように、前記本体の前方に長く延びており、前記ヘッドの開放された先端部と連通される流路と、前記流路から導入された洗浄水を噴射するノズルヘッドを有する抗菌シリコンホースと、抗菌シリコンホースの流路に挿入され、前記振動装置の振動を前記抗菌シリコンホースに伝達する振動バーを有することを特徴とする。
【００１１】
また、前記先端作動ユニットはマッサージ装置である。このマッサージ装置は、前記ヘッドの開放された先端部に着脱可能に結合される本体と、前記本体の前部に遊動可能に設置される振動ヘッドと、前記振動装置の振動を前記振動ヘッドに伝達する振動バーを有することを特徴とする。
【００１２】
さらに、前記先端作動ユニットはシャワー装置である。前記シャワー装置は、前記ヘッドの開放された先端部に着脱可能に結合され、前記開放された先端部と連通される流路を有する本体と、前記振動装置の振動を前記流路の洗浄水に伝達する振動伝達部材と、前記本体に設置されて前記流路に導入された洗浄水を噴射する噴射ヘッドを有することを特徴とする。
【００１３】
前記ヘッドに前記浄水器の洗浄水が通過することができる殺菌室をさらに設け、前記殺菌室には前記洗浄水を殺菌する殺菌機を設置することを特徴とする。
【００１４】
なお、身体の皮膚に低出力のレーザーを照射する皮膚再生レーザー装置をさらに有することを特徴とする。
【発明の効果】
【００１５】
上記のように、本発明の振動装置を具備したビデ美容機器によれば、使用者が手で持って必要な部分に直接近づけて洗浄できるように構成されており、身体のどの部分もビデ洗浄が可能である。また、腸内または膣内部に振動挿入機を挿入して洗浄することが可能で、腸内または膣内部をより綺麗に洗浄することができる。また、洗浄水を振動させた後洗浄するので、洗浄効果を極大化することができるという効果がある。
【００１６】
また、身体の皮膚をマッサージするマッサージ機能と、シャワー洗浄するシャワー機能を兼備することにより、身体のどの部位も広い範囲で洗浄し、マッサージすることが可能で、使用者の購買力を高められる。
【発明を実施するための最良の形態】
【００１７】
次に、本発明に係る振動装置を具備したビデ美容機器を実施するための好適な実施例を図面を参照しながら説明する。
【００１８】
図１及び図２を参照すれば、本発明のビデ美容機器は、洗浄水を導入することができる導入ホース１０を有する。導入ホース１０は、屈曲変形が可能な材質、例えば、合成樹脂、ゴム等で構成される。水道管（図示しない）やシャワー装置の連結ホース、あるいは温い温度の洗浄水が保管されている貯水槽（図示しない）に連結されており、水道水、つまり洗浄水を導入するように構成されている。この場合、貯水槽の洗浄水を導入するためにはポンプを使用しなければならない。
【００１９】
本発明のビデ美容機器は、導入ホース１０に連結されている浄水器２０を有する。浄水器２０は、浄水器ハウジング２２を有し、浄水器ハウジング２２内部には浄水室２４が設けられている。浄水室２４は、導入ホース１０と連通される入口２４ａと、導入された洗浄水を排出する出口２４ｂを含み、内部にはフィルタ要素２５が収容されている。
【００２０】
前記入口２４ａは、導入ホース１０と連通されることによって、導入ホース１０に沿って移送される洗浄水を浄水室２４の内部に導入する。また、入口２４ａにはチェックバルブ２６が設置されている。
【００２１】
前記出口２４ｂは、入口２４ａと浄水室２４を通過する洗浄水を排出するものであって、後処理フィルタ３０が形成されている。後処理フィルタ３０は、浄水室２４のフィルタ要素２５を通過した洗浄水を２次的に浄化する。
【００２２】
前記フィルタ要素２５は、例えば、銀コーティングされた「銀ナノセラミックボール」等で構成されており、浄水室２４を通過する洗浄水を濾過して高清浄度の綺麗な洗浄水として浄化する。一方、本発明の説明では、フィルタ要素２５として「銀ナノセラミックボール」を使用したが、これに限定されるものではなく、活性炭等のように洗浄水を浄化できるものであれば使用可能である。
【００２３】
再び図１及び図２を参照すれば、本発明のビデ美容機器は、浄水器２０の上部に結合されるヘッド４０を有する。ヘッド４０は、下部ボディー５０と上部ボディー６０で構成されている。
【００２４】
前記下部ボディー５０は、結合手段によって浄水器２０と分離可能に結合される。結合手段は、浄水器２０の上面に形成された両方の噛合突起５２と、噛合突起５２が嵌合するように開放された入口を有し、開放された入口に嵌合された噛合突起５２が回転して捩れることによって引っかかるように下部ボディー５０に形成される噛合溝５４で構成される。この際、結合手段として雌ねじ及び雄ねじを使用することも可能である。
【００２５】
前記上部ボディー６０は、結合手段により下部ボディー５０に分離可能に結合される。結合手段は、下部ボディー５０の上面に形成された両側の噛合突起６２と、噛合突起６２が嵌合するように開放された入口を有し、開放された入口に嵌合された噛合突起６２が回転して捩れることによって引っかかるように上部ボディー６０に形成される噛合溝６４で構成される。この際、結合手段として雌ねじ及び雄ねじを使用することも可能である。
【００２６】
一方、前記上部ボディー６０は、開放された先端部６５を有し、開放された先端部６５にはアダプタ６６が着脱可能に形成されている。アダプタ６６は、図２及び図３に示しように、開放された導入室６６ａを有し、この導入室６６ａは、連結チューブ６７を介して浄水器２０の出口２４ｂに連結されている。これによって、浄水器２０の洗浄水を内部の導入室６６ａに導入する。
【００２７】
ここで、連結チューブ６７にはコントロールバルブ６８が形成されている。このコントロールバルブ６８は、下部ボディー５０に設置され、浄水器２０の洗浄水を遮断したり許容し、洗浄水の水圧を調節する。前記コントロールバルブ６８は一般な構成を有するので説明は省略する。
【００２８】
前記上部ボディー６０は振動装置７０を有する。この振動装置７０はアダプタ６６の後方に配置され、バッテリー７２の電源によって振動を発生する。ここで、バッテリー７２は充電式であって、上部ボディー６０の後面に形成された充電端子７４を介して充電される。勿論、バッテリー７２を交換式に構成することも可能である。一方、前記振動装置７０は、下部ボディー５０に設置されるスイッチ７０ａによってオン／オフされる。勿論、振動装置７０とスイッチ７０ａは電気的に接続されている。
【００２９】
なお、前記上部ボディー６０は、振動装置７０の振動をアダプタ６６の導入室６６ａに伝達する振動伝達部材７５を有する。この振動伝達部材７５は、一端が振動装置７０に接続連結されており、他端はアダプタ６６の導入室６６ａに延びている。
【００３０】
一方、前記上部ボディー６０の開放された先端部６５には、先端作動ユニット１００が設置されている。この先端作動ユニット１００は、図１乃至図３に示すように、ビデ挿入装置１１０で構成されている。
【００３１】
前記ビデ挿入装置１１０は、上部ボディー６０の開放された先端部６５に着脱可能に結合される本体１１２と、本体１１２の前方に長く延びた状態で使用者の腸内または膣内部に挿入される抗菌シリコンホース１１４と、抗菌シリコンホース１１４の内部に挿入される振動バー１１６を備える。
【００３２】
前記抗菌シリコンホース１１４は、弾性変形が可能な材質で構成され、図３に示すように、内部には流路１１４ａが形成されており、流路１１４ａはアダプタ６６の導入室６６ａと連通される。さらに、その前部にはノズルヘッド１１４ｂが形成されており、このノズルヘッド１１４ｂは流路１１４ａと連通されるノズル孔１１４ｃを有する。
【００３３】
このような抗菌シリコンホース１１４は、流路１１４ａに導入された洗浄水をノズル孔１１４ｃを通じて噴射する。特に、使用者の腸内または膣内部に挿入された状態で洗浄水を噴射して洗浄を行う。
【００３４】
前記本体１１２は、抗菌シリコンホース１１４の後端部を固定的に支持した状態で、上部ボディー６０に着脱可能に結合されている。この場合、前記本体１１２は、固定手段によって抗菌シリコンホース１１４の後端部を支持し、着脱手段によって上部ボディー６０に着脱可能に結合される。
【００３５】
前記固定手段は、抗菌シリコンホース１１４の内部流路１１４ａに挿入される固定リング１１２ａと、固定リング１１２ａが挿入された抗菌シリコンホース１１４の後端部を本体１１２の内面に支持させる支持部材１１２ｂで構成される。
【００３６】
前記着脱手段は、上部ボディー６０の開放された先端部６５の周囲に形成される結合溝１１２ｃと、結合溝１１２ｃに着脱可能に嵌合するように本体１１２に形成される結合突起１１２ｄで構成される。
【００３７】
このような本体１１２は、前記抗菌シリコンホース１１４の後端部を支持した状態で上部ボディー６０に分離可能に結合する。
【００３８】
前記振動バー１１６は、抗菌シリコンホース１１４の流路１１４ａに挿入されるもので、後端部は、振動伝達部材７５を介して振動装置７０に連結され、その先端部は、大きい直径の振動板１１６ａを備える。特に、前記振動板１１６ａは、抗菌シリコンホース１１４のノズルヘッド１１４ｂに設置されるもので、前記ノズルヘッド１１４ｂを振動させる。ここで、振動板１１６ａには流路１１４ａの洗浄水がノズルヘッド１１４ｂに流れるように通孔１１６ｂが形成されている。
【００３９】
このような振動バー１１６は、振動装置７０によって振動しながら抗菌シリコンホース１１４の流路１１４ａに沿って流れる洗浄水に波動を生じさせ、同時に、抗菌シリコンホース１１４のノズルヘッド１１４ｂを振動させて洗浄効果を極大化する。
【００４０】
一方、図４は、ビデ挿入装置１１０の変形例を示す断面図である。変形例において、ビデ挿入装置１１０は、抗菌シリコンホース１１４のノズルヘッド１１４ｂの前部に開放された貫通穴１１７が形成されており、この貫通穴１１７に振動バー１１６の振動板１１８が設置される構成を有する。ここで、振動板１１８の外側面１１８ａは、ノズルヘッド１１４bの外面曲率につながるように円弧面で構成されている。
【００４１】
このような変形例によるビデ挿入装置１１０は、振動バー１１６の振動板１１８がノズルヘッド１１４ｂの前部を成す構成であるので、振動バー１１６の振動が使用者の身体に直接伝達される構成を有する。その結果、洗浄効果が増加し、マッサージ効果も得られる。
【００４２】
一方、前記振動バー１１６の振動板１１８は、場合によって超音波振動を発生することも可能である。この際、振動板１１８を超音波振動させるための前記振動装置７０は超音波振動装置で構成されている。
【００４３】
次に、図５及び図６は、先端作動ユニット１００の他の変形例を示す図である。
【００４４】
図５に示す先端作動ユニット１００は、マッサージ装置１２０で構成される。このマッサージ装置１２０は、上部ボディー６０の開放された先端部６５に着脱可能に結合される本体１２２と、本体１２２の前部に運動可能に結合される振動ヘッド１２４と、振動伝達部材７５の振動を振動ヘッド１２４に伝達する振動バー１２６で構成される。
【００４５】
前記本体１２２は、着脱手段によって上部ボディー６０の開放された先端部６５に結合される。前記着脱手段は、上部ボディー６０の開放された先端部６５の周囲に形成される結合溝１２２ａと、結合溝１２２ａに着脱可能に嵌合できるように本体１２２に形成される結合突起１２２ｂで構成される。
【００４６】
前記振動ヘッド１２４は、後面に形成される連結軸１２４ａを有する。連結軸１２４ａは、本体１２２の前部に形成された取付け孔１２２ｃに遊動可能に嵌合されて結合される。この場合、連結軸１２４ａの周囲には結合突起１２４ｂが形成されており、本体１２２の取付け孔１２２ｃの内面には、結合突起１２４ｂが遊動可能に結合できる結合溝１２２ｄが形成されている。
【００４７】
一方、前記振動ヘッド１２４の連結軸１２４ａ周囲にはスプリング１２５が挿入されて形成されておる。このスプリング１２５は、前記連結軸１２４ａを本体１２２の内側方向に弾性加圧する。これによって、前記振動ヘッド１２４が本体１２２に対して弾性的に左右運動可能となる。
【００４８】
前記振動バー１２６は、後端部が振動伝達部材７５に連結されており、その先端部が振動ヘッド１２４の連結軸１２４ａに結合される。これによって、振動伝達部材７５に伝達された振動装置７０の振動を振動ヘッド１２４に伝達し、その結果、振動ヘッド１２４が振動運動を行う。
【００４９】
このような構成のマッサージ装置１２０によれば、振動ヘッド１２４を身体の皮膚や特定部位に摩擦接触させた後、左右振動させることにより、振動ヘッド１２４に接触した身体の皮膚や特定部位をマッサージしたり、あるいは接触した皮膚の角質を除去する。ここで、マッサージ装置１２０を使用する場合には、コントロールバルブ６８で浄水器２０の洗浄水を遮断する必要がある。
【００５０】
一方、前記マッサージ装置１２０は、振動ヘッド１２４の外面を覆うカバー１２８をさらに有する。このカバー１２８は、不織布または抗菌シリコン材質で構成される。この際、不織布は皮膚の角質を除去し、抗菌シリコンは皮膚をマッサージ及び刺激する。
【００５１】
次に、図６の先端作動ユニット１００について説明する。図６の先端作動ユニット１００は、シャワー装置１３０で構成されている。
【００５２】
前記シャワー装置１３０は、上部ボディー６０の開放された先端部６５に着脱可能に結合される本体１３２と、本体１３２の前部に一体に形成される噴射ヘッド１３４で構成される。
【００５３】
前記本体１３２は、内部の流路１３２ａを備えている。前記流路１３２ａは、アダプタ６６の導入室６６ａと連通される。これによって、連結チューブ６７に移送された浄水器２０の洗浄水を導入する。さらに、前記本体１３２は、着脱手段によって上部ボディー６０の開放された先端部６５に結合される。
【００５４】
前記着脱手段は、上部ボディー６０の開放された先端部６５の周囲に形成される結合溝１３２ｂと、結合溝１３２ｂに着脱可能に嵌合するように本体１３２に形成される結合突起１３２ｃで構成される。
【００５５】
前記噴射ヘッド１３４は、本体１３２の流路１３２ａと連通される複数の噴射孔１３４ａを有し、この噴射孔１３２ａを介して浄水器２０の洗浄水を前方に噴射する。
【００５６】
このようなシャワー装置１３０によれば、浄水器２０の洗浄水が噴射されるので使用者はシャワーを行うことも可能となる。特に、浄水器２０により浄化された洗浄水を噴射するので、綺麗な水でシャワーを行うことができる。
【００５７】
一方、前記シャワー装置１３０を使用する場合には、振動装置７０を動作させることが好ましい。これは、振動装置７０から発生した振動が、振動伝達部材７５を介して洗浄水に伝達されて波動を発生させるためであって、このようにすることで洗浄水の洗浄効果を向上させることができる。
【００５８】
次に、図７は、本発明によるビデ美容機器の他の実施例を示す図である。
【００５９】
他の実施例のビデ美容機器において、ヘッド４０の下部ボディー５０に浄水器２０の洗浄水が導入される殺菌室１４０を設け、殺菌室１４０に導入された洗浄水を殺菌する殺菌機１４２を設置した構成を有する。
【００６０】
前記殺菌機１４２は、紫外線殺菌機で構成されており、殺菌室１４０の洗浄水に紫外線を照射して殺菌処理を行う。ここでは、殺菌機１４２として紫外線殺菌機を使用しており、殺菌室１４０内の洗浄水を殺菌できる位置であればどこでも設置できる。
【００６１】
このような他の実施例のビデ美容機器によれば、洗浄水を浄化できると同時に殺菌処理を行うことによって、洗浄水の浄化効率を一層向上させることができる。その結果、使用者はより綺麗な水でビデ洗浄またはシャワー洗浄を行うことが可能となる。
【００６２】
さらに、他の実施例のビデ美容機器によれば、ヘッド４０の下部ボディー５０に設置される皮膚再生レーザー装置１５０をさらに備える。
【００６３】
前記皮膚再生レーザー装置１５０は、バッテリー７２の電源によって低出力のレーザーを発生させる装置であって、発生されたレーザーを身体の皮膚に照射する。これによって、身体の皮膚組織を再生する。なお、低出力のレーザーは、身体の皮膚血管を拡張して血液循環を改善する。このように損傷した細胞組織を正常に再生するという効果がある。
【００６４】
一方、このような皮膚再生レーザー装置１５０は、上記の図１及び図２に示された一実施例のビデ美容機器にも設置することができる。このような皮膚再生レーザー装置１５０は、下部ボディー５０に設置されるスイッチ１５０ａによりオン/オフされる。
【００６５】
以上、本発明の好ましい実施形態について詳細に説明したが、本発明の権利範囲は上述の実施例に限られるものではない。本発明の技術的範囲から逸脱しない範囲内で多様に変更実施することが可能である。
【産業上の利用可能性】
【００６６】
本発明の振動装置を具備したビデ美容機器によれば、腸または膣内部に挿入して内部を洗浄すると同時に、美容機器としても使用することができる。
【図面の簡単な説明】
【００６７】
【図１】本発明による振動装置を具備したビデ美容機器の構成を示す分解斜視図。
【図２】本発明による振動装置を具備したビデ美容機器の構成を示す側断面図。
【図３】本発明のビデ美容機器を構成する先端作動ユニットを示す拡大断面図。
【図４】本発明のビデ美容機器を構成する先端作動ユニットの変形例を示す断面図。
【図５】本発明のビデ美容機器を構成する先端作動ユニットの変形例を示す断面図。
【図６】本発明のビデ美容機器を構成する先端作動ユニットの変形例を示す断面図。
【図７】本発明による振動装置を具備したビデ美容機器の他の実施例を示す側断面図。
【図１】
2009521979.tif 000003
【図２】
2009521979.tif 000004
【図３】
2009521979.tif 000005
【図４】
2009521979.tif 000006
【図５】
2009521979.tif 000007
【図６】
2009521979.tif 000008
【図７】
2009521979.tif 000009
【国際調査報告】
2009521979.tif 000010
2009521979.tif 000011